(57)【要約】      （修正有）【課題】携帯型ラベルプリンタにおいて、ラベルプリンタ本体に台紙巻取り機構を取り付け、この台紙巻取り機構により台紙を巻取るようにしたものである。【解決手段】携帯型ラベルプリンタ１において、本体ハウジング２の用紙収納部１０に収納され台紙９ａにラベル９ｂが貼付されロール状に巻かれたラベル用紙９と、前記ラベル用紙９の搬送路に設けられた印字ヘッド１５と、前記印字ヘッド１５の下流側に設けられ前記台紙９ａから前記ラベル９ｂを剥離させるラベル剥離体１３と、本体ハウジング２の外部に配置され、この本体ハウジング２の台紙排出口１７から排出される台紙９ａを巻き取る台紙巻取り部１８と、前記台紙巻取り部１８を回動自在に保持する巻取り部ホルダ１９とで構成される。【選択図】図２
2012176500.tif 000002
【特許請求の範囲】
【請求項１】
本体ハウジングの外部に配置され、この本体ハウジングの台紙排出口から排出される台紙を巻き取る台紙巻取り部と、
前記台紙巻取り部を回動自在に保持する巻取り部ホルダと、
を備える携帯型ラベルプリンタの台紙巻取り機構。
【請求項２】
前記巻取り部ホルダは本体ハウジングに着脱自在に保持されたことを特徴とする請求項１記載の携帯型ラベルプリンタの台紙巻取り機構。
【請求項３】
前記台紙巻取り部はこの台紙巻取り部を回動させる手動操作部を有することを特徴とする請求項１ないし２のいずれか一記載の携帯型ラベルプリンタの台紙巻取り機構。
【請求項４】
前記台紙巻取り部に本体ハウジングの用紙搬送機構部からの駆動力を伝達機構を介して伝え、前記台紙巻取り部を回動させること特徴とする請求項１記載の携帯型ラベルプリンタの台紙巻取り機構。
【請求項５】
本体ハウジングの用紙収納部に収納され台紙にラベルが貼付されロール状に巻かれたラベル用紙と、
前記ラベル用紙の搬送路に設けられた印字ヘッドと、
前記印字ヘッドの下流側に設けられ前記台紙から前記ラベルを剥離させるラベル剥離体と、
前記本体ハウジングの外部に配置され、この本体ハウジングの台紙排出口から排出される台紙を巻き取る台紙巻取り部と、
前記台紙巻取り部を回動自在に保持する巻取り部ホルダと、
を備える携帯型ラベルプリンタ。
【請求項６】
前記巻取り部ホルダは本体ハウジングに着脱自在に保持されたことを特徴とする請求項５記載の携帯型ラベルプリンタ。
【請求項７】
前記台紙巻取り部はこの台紙巻取り部を回動させる手動操作部を有することを特徴とする請求項５ないし６のいずれか一記載の携帯型ラベルプリンタ。
【請求項８】
前記台紙巻取り部に本体ハウジングの用紙搬送機構部からの駆動力を伝達機構を介して伝え、前記台紙巻取り部を回動させること特徴とする請求項５記載の携帯型ラベルプリンタ。
【発明の詳細な説明】
【技術分野】
【０００１】
本発明の実施形態は携帯型ラベルプリンタの台紙巻取り機構および携帯型ラベルプリンタに関する。
【背景技術】
【０００２】
従来、携帯型のラベルプリンタとして、連続発行モードと剥離発行モードのいずれかに設定することができるものが知られている。
【先行技術文献】
【特許文献】
【０００３】
【特許文献１】特開２００８−６２６３２公報
【発明の概要】
【発明が解決しようとする課題】
【０００４】
しかしながら、このような携帯型ラベルプリンタでは、台紙を巻取る機構を有していないため、剥離モードで使用した場合、台紙は垂れ流し状態であった。そこで、この垂れ流された台紙を切り離してゴミ箱に捨てに行かねばならず、或いはそのまま台紙が垂れ流し状態にあるとこれらの台紙が邪魔になった。
【０００５】
そこで、本発明が解決しようとする課題は、携帯型ラベルプリンタにおいて、ラベルプリンタ本体に台紙巻取り機構を取り付け、この台紙巻取り機構により台紙を巻取るようにしたものである。
【課題を解決するための手段】
【０００６】
本発明の実施形態における携帯型ラベルプリンタの台紙巻取り機構は、本体ハウジングの外部に配置され、この本体ハウジングの台紙排出口から排出される台紙を巻き取る台紙巻取り部と、前記台紙巻取り部を回動自在に保持する巻取り部ホルダとを備える。
【０００７】
また、本発明の実施形態における携帯型ラベルプリンタは、本体ハウジングの用紙収納部に収納され台紙にラベルが貼付されロール状に巻かれたラベル用紙と、前記ラベル用紙の搬送路に設けられた印字ヘッドと、前記印字ヘッドの下流側に設けられ前記台紙から前記ラベルを剥離させるラベル剥離体と、本体ハウジングの外部に配置され、この本体ハウジングの台紙排出口から排出される台紙を巻き取る台紙巻取り部と、前記台紙巻取り部を回動自在に保持する巻取り部ホルダとを備える。
【図面の簡単な説明】
【０００８】
【図１】実施形態１の携帯型ラベルプリンタの外形を示す平面図。
【図２】実施形態１の携帯型ラベルプリンタを概略的に示す縦断側面図。
【図３】実施形態２の携帯型ラベルプリンタの外形を示す平面図。
【図４】実施形態３の携帯型ラベルプリンタの一部を透視した外形を示す平面図。
【図５】実施形態３の携帯型ラベルプリンタを概略的に示す縦断側面図。
【発明を実施するための形態】
【０００９】
以下に添付図面を参照して、実施形態にかかる携帯型ラベルプリンタの台紙巻取り機構および携帯型ラベルプリンタの詳細を説明する。
【００１０】
（実施形態１）
図１は、実施形態１の携帯型ラベルプリンタの外形を示す平面図、図２は、実施形態１の携帯型ラベルプリンタを概略的に示す縦断側面図である。図１ないし図２に示すように、携帯型のラベルプリンタ１は、本体ハウジング２と、台紙巻取り機構３とから構成されている。
【００１１】
そして、この本体ハウジング２は、ハウジングベース4と、ハウジングカバー５とからなり、ハウジングベース４の上面には開口面６が形成され、この開口面６の一端には開口面６を開閉するハウジングカバー５が支点軸８により回動自在に保持されている。ハウジングベース４にはロール状に巻かれたラベル用紙９を転動自在に収納する用紙収納部１０が形成されている。本実施形態１におけるラベル用紙９は、図１ないし図２に示すように、ロール状に巻回された台紙９ａの一面にラベル９ｂを等間隔に配列して貼付した一例である。
【００１２】
また、前記ハウジングベース４には前記用紙収納部１０の底部から前記開口面６に向けて延出する用紙ガイド１１が設けられ、この用紙ガイド１１の開口面６部分には、用紙搬送機構部である回転自在のプラテン１２と、このプラテン１２の長手方向に沿うラベル剥離体１３とが配設されている。さらに、ハウジングベース４にはバッテリ１４が図示しない開閉蓋の開閉により着脱自在に設けられている。
【００１３】
一方、ハウジングカバー５の内面には、印字ヘッドであるサーマルヘッド１５が図示しない板バネと支軸により一方向に付勢されて回動自在に保持されている。また、ハウジングカバー５の自由端側には、サーマルヘッド１５よりも下流位置に前記ラベル９ｂを排出させるラベル排出口１６が形成されている。そして、ハウジングカバー５が閉じた状態で、このハウジングカバー５の自由端と前記開口面６の端部との間に前記台紙９ａを排出させる台紙排出口１７が形成されている。なお、図示しないが、ハウジングカバー５には、その両側から突出してハウジングベース４の開口面６の両側に係止される係止爪が形成されている。
【００１４】
本体ハウジング２の外部で台紙排出口１７側には、台紙巻取り機構３が配置されている。この台紙巻取り機構３は、台紙巻取り部１８と、台紙巻取り部ホルダ１９とから構成され、台紙巻取り部１８が台紙巻取り部ホルダ１９に回動自在に保持されている。実施形態１では、台紙巻取り機構３の台紙巻取り部ホルダ１９は本体ハウジング２に対して着脱自在に保持されているが、本体ハウジング２と一体的に形成してもよい。そして、台紙巻取り部１８は、台紙を巻き取る巻取り軸２０と、この巻取り軸２０の一端に設けられ、巻取り軸２０を回動させる手動操作部２１である巻取り用ノブ２１ａとから構成されている。
【００１５】
次に、本件実施形態１の携帯型ラベルプリンタ１おけるラベル用紙９のラベル９ｂの剥離動作および台紙９ａの巻取り動作について説明する。印字に際しては、サーマルヘッド１５がバッテリ１４からの供給電圧により印字出力する。そして、バッテリ１４を駆動源とする図示しないモータによりプラテン１２がワンピッチずつ駆動され、台紙９ａがラベル９ｂとともに搬送される。この場合、台紙９ａがラベル剥離体１３により鋭角に折曲された状態で搬送されるため、腰の強いラベル９ｂは直進して台紙９ａから剥がれラベル排出口１６から排出され、台紙９ａは台紙排出口１７から排出される。
【００１６】
そして、台紙排出口１７から排出された台紙９ａは、その端部を台紙巻取り部１８の巻取り軸１９に巻き付け、適宜巻取り用ノブ２１ａを回動操作することにより巻取り軸１９に巻き取られて行く。
【００１７】
上記の実施形態１をとれば、携帯型ラベルプリンタ１において、台紙排出口１７から排出された台紙９ａは、台紙巻取り機構３によって順次巻き取られるので、本体ハウジング２から台紙９ａが垂れ流し状態になることない。
【００１８】
（実施形態２）
実施形態２を図３を用いて説明する。以下、実施形態１と同一の部分には同一の符号を用い、実施形態２の特徴部分のみ説明する。
【００１９】
図３は、実施形態２の携帯型ラベルプリンタの外形を示す平面図である。実施形態２においては、台紙巻取り機構３における巻取り軸２０を回動させる手動操作部２１を巻取り用レバー２１ｂで形成したものであり、これ以外の構成は、実施形態１と全く同一である。
【００２０】
よって、実施形態２においても、実施形態１と同様な作用効果を有するものである。
【００２１】
（実施形態３）
実施形態３を図４ないし図５を用いて説明する。以下、実施形態１と同一の部分には同一の符号を用い、実施形態３の特徴部分のみ説明する。
【００２２】
図４は、実施形態３の携帯型ラベルプリンタの一部を透視した外形を示す平面図、図５は、実施形態３の携帯型ラベルプリンタを概略的に示す縦断側面図である。
【００２３】
図４ないし図５に示すように、実施形態３の携帯型ラベルプリンタ１においては、図示しないモータによるプラテン１２の駆動力を利用して、台紙巻取り機構３における台紙９ａの巻取り動作を行わしめたものである。具体的には、プラテン１２の駆動力を伝達機構２３を介して台紙巻取り機構３に伝え、台紙巻取り部１８の巻取り軸１９を回動させるものである。伝達機構２３は、本体ハウジング２の側部に配設され、ギアハウジング２８と、このギアハウジング２８内に回動自在に保持され、互いに噛み合うギアＡ２４と、ギアＢ２５と、ギアＣ２６と、ギアＤ２７とから構成されている。そして、ギアＡ２４は、プラテン１２の回動軸に連結されており、ギアＤ２７は、台紙巻取り部１８の巻取り軸１９に連結されている。これらのギアＡ２４、ギアＢ２５、ギアＣ２６、ギアＤ２７はスリップギア等で構成され、プラテン１２による台紙９ａの送り量と台紙巻取り機構３における台紙巻取り部１８による台紙９ａの巻取り量が同じとなるよう調整できるようになっている。
【００２４】
上記の実施形態３をとれば、携帯型ラベルプリンタ１において、台紙排出口１７から排出された台紙９ａは、台紙巻取り機構３によって自動的に巻き取られるので、本体ハウジング２から台紙９ａが垂れ流し状態になることない。
【００２５】
なお、本発明のいくつかの実施形態を説明したが、これらの実施形態は例として提示したものであり、発明の範囲を限定することは意図していない。これら実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２６】
１        携帯型ラベルプリンタ
２        本体ハウジング
３        台紙巻取り機構
４        ハウジングベース
５        ハウジングカバー
９        ラベル用紙
９ａ      台紙
９ｂ      ラベル
１２      プラテン（用紙搬送機構部）
１３      ラベル剥離体
１５      印字ヘッド
１６      ラベル排出口
１７      台紙排出口
１８      台紙巻取り部
１９      巻取り部ホルダ
２１      手動操作部
２１ａ    巻取り用ノブ（手動操作部）
２１ｂ    巻取り用レバー（手動操作部）
２３      伝達機構
【図１】
2012176500.tif 000003
【図２】
2012176500.tif 000004
【図３】
2012176500.tif 000005
【図４】
2012176500.tif 000006
【図５】
2012176500.tif 000007